(57)【要約】  本発明の実施例は、情報伝送方法、デバイス及びコンピュータ記憶媒体を提供し、この方法は、物理上りリンク制御チャネル（ＰＵＣＣＨ）に対する構成情報を受信し、ここで、前記構成情報は、各ＰＵＣＣＨに対して少なくとも２つの最大符号化率（ＭＣＲ）を対応して構成し、下り制御情報（ＤＣＩ）を受信し、ここで、前記ＤＣＩが目標ＰＵＣＣＨに使用されるＭＣＲを示す指示情報を含み、前記ＤＣＩにおける指示情報に基づいて、前記目標ＰＵＣＣＨに対応して構成した少なくとも２つのＭＣＲから前記ＰＵＣＣＨに使用されるＭＣＲを決定することを含む。
2021529455.tif 000002
【特許請求の範囲】
【請求項１】
物理上りリンク制御チャネルＰＵＣＣＨに対する構成情報を受信し、前記構成情報が、各ＰＵＣＣＨに対して少なくとも２つの最大符号化率ＭＣＲを対応して構成するために使用されることと、
下り制御情報ＤＣＩを受信し、前記ＤＣＩが目標ＰＵＣＣＨに使用されるＭＣＲを示す指示情報を含むことと、
前記ＤＣＩにおける指示情報に基づいて、前記目標ＰＵＣＣＨに対応して構成した少なくとも２つのＭＣＲから前記ＰＵＣＣＨに使用されるＭＣＲを決定することとを含む
ことを特徴とする情報伝送方法。
【請求項２】
前記構成情報は、
各ＰＵＣＣＨ  フォーマットｆｏｒｍａｔに対して少なくとも２つの最大符号化率ＭＣＲを対応して構成し、
又は、
各ＰＵＣＣＨ  リソースセットＲｅｓｏｕｒｃｅ  ｓｅｔに対して少なくとも２つの最大符号化率ＭＣＲを対応して構成し、
又は、
各ＰＵＣＣＨ  リソースＲｅｓｏｕｒｃｅに対して少なくとも２つの最大符号化率ＭＣＲを対応して構成するために使用される
ことを特徴とする請求項１に記載の情報伝送方法。
【請求項３】
前記少なくとも２つの最大符号化率ＭＣＲは、
それぞれ独立した少なくとも２つの絶対最大符号化率、
又は、
少なくとも１つの絶対最大符号化率及び前記絶対最大符号化率を基準とする少なくとも１つの相対最大符号化率を含む
ことを特徴とする請求項１に記載の情報伝送方法。
【請求項４】
前記指示情報が前記ＤＣＩのフィールドに搬送されるインジケータを含み、前記インジケータが目標ＰＵＣＣＨに使用されるＭＣＲを示す
ことを特徴とする請求項１に記載の情報伝送方法。
【請求項５】
前記指示情報が、前記ＤＣＩの巡回冗長検査ＣＲＣスクランブルに使用される無線ネットワークの一時識別子ＲＮＴＩを含み、前記ＲＮＴＩとＭＣＲとが対応関係を有する
ことを特徴とする請求項１に記載の情報伝送方法。
【請求項６】
前記ＤＣＩにおける指示情報に基づいて、前記目標ＰＵＣＣＨに対応して構成した少なくとも２つのＭＣＲから前記ＰＵＣＣＨに使用されるＭＣＲを決定することは、
第１のＲＮＴＩ又は第２のＲＮＴＩに基づいて前記ＤＣＩのＣＲＣをデスクランブルすることと、
前記第１のＲＮＴＩによる前記ＤＣＩのＣＲＣデスクランブルが成功した場合、前記目標ＰＵＣＣＨに対応して構成した少なくとも２つのＭＣＲから、前記ＰＵＣＣＨに使用されるＭＣＲを前記第１のＲＮＴＩに対応する第１のＭＣＲとして決定することと、
前記第２のＲＮＴＩによる前記ＤＣＩのＣＲＣデスクランブルが成功した場合、前記目標ＰＵＣＣＨに対応して構成した少なくとも２つのＭＣＲから、前記ＰＵＣＣＨに使用されるＭＣＲを前記第２のＲＮＴＩに対応する第２のＭＣＲとして決定することとを含み、
前記第１のＭＣＲと前記第２のＭＣＲのいずれも前記目標ＰＵＣＣＨに対応して構成した少なくとも２つのＭＣＲに属する
ことを特徴とする請求項５に記載の情報伝送方法。
【請求項７】
前記第１のＲＮＴＩがセル無線ネットワークの一時識別子Ｃ−ＲＮＴＩを含み、前記第２のＲＮＴＩが前記Ｃ−ＲＮＴＩ以外の他のタイプのＲＮＴＩを含む
ことを特徴とする請求項５に記載の情報伝送方法。
【請求項８】
前記方法は、さらに、
ＤＣＩにおける指示情報とＭＣＲとの対応関係は、予め構成される
ことを特徴とする請求項１に記載の情報伝送方法。
【請求項９】
第１の受信部と、第２の受信部と、決定部と、を備える前記ユーザーデバイスであって、
前記第１の受信部は、物理上りリンク制御チャネルＰＵＣＣＨに対する構成情報を受信するように構成され、前記構成情報が、各ＰＵＣＣＨに対して少なくとも２つの最大符号化率ＭＣＲを対応して構成するために使用され、
前記第２の受信部は、下り制御情報ＤＣＩを受信するように構成され、前記ＤＣＩが目標ＰＵＣＣＨに使用されるＭＣＲを示す指示情報を含み、
前記決定部は、前記ＤＣＩにおける指示情報に基づいて、前記目標ＰＵＣＣＨに対応して構成した少なくとも２つのＭＣＲから前記ＰＵＣＣＨに使用されるＭＣＲを決定するように構成される
ことを特徴とするユーザーデバイス。
【請求項１０】
前記構成情報は、
各ＰＵＣＣＨ  フォーマットｆｏｒｍａｔに対して少なくとも２つの最大符号化率ＭＣＲを対応して構成し、
又は、
各ＰＵＣＣＨ  リソースセットＲｅｓｏｕｒｃｅ  ｓｅｔに対して少なくとも２つの最大符号化率ＭＣＲを対応して構成し、
又は、
各ＰＵＣＣＨ  リソースＲｅｓｏｕｒｃｅに対して少なくとも２つの最大符号化率ＭＣＲを対応して構成するために使用される
ことを特徴とする請求項９に記載のユーザーデバイス。
【請求項１１】
前記少なくとも２つの最大符号化率ＭＣＲは、
それぞれ独立した少なくとも２つの絶対最大符号化率、
又は、
少なくとも１つの絶対最大符号化率及び前記絶対最大符号化率を基準とする少なくとも１つの相対最大符号化率を含む
ことを特徴とする請求項９に記載のユーザーデバイス。
【請求項１２】
前記指示情報が前記ＤＣＩのフィールドに搬送されるインジケータを含み、前記インジケータが目標ＰＵＣＣＨに使用されるＭＣＲを示す
ことを特徴とする請求項９に記載のユーザーデバイス。
【請求項１３】
前記指示情報が、前記ＤＣＩの巡回冗長検査ＣＲＣスクランブルに使用される無線ネットワークの一時識別子ＲＮＴＩを含み、前記ＲＮＴＩとＭＣＲとが対応関係を有する
ことを特徴とする請求項９に記載のユーザーデバイス。
【請求項１４】
前記決定部は、
第１のＲＮＴＩ又は第２のＲＮＴＩに基づいて前記ＤＣＩのＣＲＣをデスクランブルし、
前記第１のＲＮＴＩによる前記ＤＣＩのＣＲＣデスクランブルが成功した場合、前記目標ＰＵＣＣＨに対応して構成した少なくとも２つのＭＣＲから、前記ＰＵＣＣＨに使用されるＭＣＲを前記第１のＲＮＴＩに対応する第１のＭＣＲとして決定し、
前記第２のＲＮＴＩによる前記ＤＣＩのＣＲＣデスクランブルが成功した場合、前記目標ＰＵＣＣＨに対応して構成した少なくとも２つのＭＣＲから、前記ＰＵＣＣＨに使用されるＭＣＲを前記第２のＲＮＴＩに対応する第２のＭＣＲとして決定するように構成され、
前記第１のＭＣＲと前記第２のＭＣＲのいずれも前記目標ＰＵＣＣＨに対応して構成した少なくとも２つのＭＣＲに属する
ことを特徴とする請求項１３に記載のユーザーデバイス。
【請求項１５】
前記第１のＲＮＴＩがセル無線ネットワークの一時識別子Ｃ−ＲＮＴＩを含み、前記第２のＲＮＴＩが前記Ｃ−ＲＮＴＩ以外の他のタイプのＲＮＴＩを含む
ことを特徴とする請求項１３に記載のユーザーデバイス。
【請求項１６】
前記ユーザーデバイスは、さらに、構成部を含み、
前記構成部は、ＤＣＩにおける指示情報とＭＣＲとの対応関係を予め構成するように構成される
ことを特徴とする請求項９に記載のユーザーデバイス。
【請求項１７】
ネットワークインターフェースと、メモリと、プロセッサと、を備えるユーザーデバイスであって、
前記ネットワークインターフェースは、他の外部ネットワーク要素との間で情報を送受信する過程で、信号の送受信を行うように構成され、
前記メモリは、前記第１のプロセッサ上で実行可能なコンピュータプログラムを記憶するように構成され、
前記プロセッサは、前記コンピュータプログラムを実行する際に、請求項１〜８のいずれか１項に記載の情報伝送方法のステップを実行するように構成されている
ことを特徴とするユーザーデバイス。
【請求項１８】
少なくとも１つのプロセッサによって実行されると、請求項１〜８のいずれか１項に記載の情報伝送方法のステップを実現する情報伝送のプログラムを記憶した
ことを特徴とするコンピュータ記憶媒体。
【発明の詳細な説明】
【技術分野】
【０００１】
本発明の実施例は、無線通信技術分野に関し、特に、情報伝送方法、デバイス及びコンピュータ記憶媒体に関する。
【背景技術】
【０００２】
符号化率( ｃｏｄｅ ｒａｔｅ )は、また符号率と略称され、データストリーム中の有用な部分(すなわち非冗長な部分)の占める割合を意味する。第５世代( ５Ｇ、５ ｔｈ Ｇｅｎｅｒａｔｉｏｎ )の新しい無線( ＮＲ、Ｎｅｗ Ｒａｄｉｏ )システムでは、複数の物理上りリンク制御チャネル( ＰＵＣＣＨ、Ｐｈｙｓｉｃａｌ Ｕｐｌｉｎｋ Ｃｏｎｔｒｏｌ ＣＨａｎｎｅｌ )フォーマットｆｏｒｍａｔが導入され、これらのＰＵＣＣＨ ｆｏｒｍａｔの符号化率が構成可能である。ＰＵＣＣＨによって搬送される上り制御情報( ＵＣＩ、Ｕｐｌｉｎｋ Ｃｏｎｔｒｏｌ Ｉｎｆｏｒｍａｔｉｏｎ )の伝送の信頼性を保証するために、最大符号化率( ＭＣＲ、Ｍａｘ Ｃｏｄｅ Ｒａｔｅ )が定義され、これは、ＵＣＩ伝送によってサポートされる最大符号化率を意味する。従来技術では、ＭＣＲはＰＵＣＣＨ ｆｏｒｍａｔに基づいて決定されてもよく、すなわち、各ＰＵＣＣＨ ｆｏｒｍａｔは、１つのＭＣＲをそれぞれ独立して定義する。ＭＣＲは、上り制御情報がサポートする最大符号化率を限定する。
【０００３】
また、ＰＵＣＣＨリソースｒｅｓｏｕｒｃｅは、ＭＣＲに基づいて取得されてもよい。また、実用上、特別な例(例えばＵＣＩペイロードｐａｙｌｏａｄが上限値を超える場合)を除き、ＭＣＲは、実際にＵＣＩを伝送する際に用いられるｃｏｄｅ ｒａｔｅである。
【０００４】
現在、ＭＣＲは、ＲＲＣシグナリングを介して静的または半静的に構成され、これにより、ＰＵＣＣＨによるＵＣＩ伝送の手順がチャネル変動に適応することが困難になる。また、５Ｇの関連技術では、複数のサービスが導入され、遅延時間と信頼度の要求がそれぞれ異なるため、ＭＣＲのために現在構成されている方式は、５Ｇの関連技術における複数のサービスの要求に適応することができない。
【発明の概要】
【０００５】
本発明は、上記の問題点に鑑みてなされたものであり、その目的は、ＰＵＣＣＨのＭＣＲを動的に調整することができ、様々なチャネルおよび/またはサービスの変動要件を適応する情報伝送方法、デバイス、及びコンピュータ記憶媒体を提供する。
【０００６】
上記目的を達成するために、本発明の技術案は以下のように実現される。
【０００７】
第１の態様として、本発明の実施例は、情報伝送方法を提供し、 
ＰＵＣＣＨに対する構成情報を受信し、ここで、前記構成情報が、各ＰＵＣＣＨに対して少なくとも２つの最大符号化率ＭＣＲを対応して構成するために使用されることと、
下り制御情報（ＤＣＩ、Ｄｏｗｎｌｉｎｋ Ｃｏｎｔｒｏｌ Ｉｎｆｏｒｍａｔｉｏｎ）を受信し、ここで、前記ＤＣＩが目標ＰＵＣＣＨに使用されるＭＣＲを示す指示情報を含むことと、
前記ＤＣＩにおける指示情報に基づいて、前記目標ＰＵＣＣＨに対応して構成した少なくとも２つのＭＣＲから前記ＰＵＣＣＨに使用されるＭＣＲを決定することとを含む。
【０００８】
第２の態様として、本発明の実施例は、ユーザーデバイスを提供し、前記ユーザーデバイスは、第１の受信部と、第２の受信部と、決定部とを備え、ここで、
前記第１の受信部は、物理上りリンク制御チャネルＰＵＣＣＨに対する構成情報を受信するように構成され、ここで、前記構成情報が、各ＰＵＣＣＨに対して少なくとも２つの最大符号化率ＭＣＲを対応して構成するために使用され、
前記第２の受信部は、下り制御情報ＤＣＩを受信するように構成され、ここで、前記ＤＣＩが目標ＰＵＣＣＨに使用されるＭＣＲを示す指示情報を含み、
前記決定部は、前記ＤＣＩにおける指示情報に基づいて、前記目標ＰＵＣＣＨに対応して構成した少なくとも２つのＭＣＲから前記ＰＵＣＣＨに使用されるＭＣＲを決定するように構成される。
【０００９】
第３の態様として、本発明の実施例は、ネットワークインターフェースと、メモリと、プロセッサと、を備えるユーザーデバイスを提供し、ここで、
前記ネットワークインターフェースは、他の外部ネットワーク要素との間で情報を送受信する過程で、信号の送受信を行うように構成され、
前記メモリは、前記第１のプロセッサ上で実行可能なコンピュータプログラムを記憶するように構成され、
前記プロセッサは、前記コンピュータプログラムを実行する際に、第１の態様に記載の情報伝送方法のステップを実行するように構成されている。
【００１０】
第４の態様として、本発明の実施例は、少なくとも１つのプロセッサによって実行されると、第１の態様に記載の情報伝送方法のステップを実現する情報伝送方法のプログラムを記憶したコンピュータ記憶媒体を提供する。
【００１１】
本発明の実施例は、情報伝送方法、デバイス、及びコンピュータ記憶媒体を提供し、ＰＵＣＣＨに対して少なくとも２つのＭＣＲを対して構成することによって、ユーザーデバイスが様々なサービス要求またはチャネル品質に適応することを可能にすることができ、また、ＤＣＩの指示情報によって、目標ＰＵＣＣＨに使用されるＭＣＲを指示し、ＭＣＲを動的に調整することを可能にすることができる。したがって、本発明の実施例が提供する技術案は、複数のサービス要求又はチャネル品質に適応するだけでなく、ＭＣＲを動的に調整することによって、複数のサービス要求又は複数のチャネル品質の間の変化に適応することができる。
【図面の簡単な説明】
【００１２】
【図１】本発明の実施例における通信システムのアーキテクチャの模式図である。
【図２】本発明の実施例におけるリソーススケジューリング方法のフローチャートである。
【図３】本発明の実施例におけるユーザーデバイスの構成図である。
【図４】本発明の実施例における他のユーザーデバイスの構成図である。
【図５】本発明の実施例におけるユーザーデバイスの具体的なハードウェアの構成図である。
【発明を実施するための形態】
【００１３】
以下、本発明の実施例について図面を参照して説明するが、本発明は、この実施例に限定されるものではなく、本発明の技術的思想に基づく各種の変形が可能である。本願における実施形態に基づいて、当業者が創造的な労働をすることなく得られる全ての他の実施形態は、本願の保護範囲に属する。
【００１４】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００１５】
本願の実施例の技術案は、例えば、Ｇｌｏｂａｌ Ｓｙｓｔｅｍ ｏｆ Ｍｏｂｉｌｅ ｃｏｍｍｕｎｉｃａｔｉｏｎシステム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ＬＴＥシステム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割腹心（ Ｔｉｍｅ Ｄｉｖｉｓｉｏｎ Ｄｕｐｌｅｘ、ＴＤＤ ）、汎用移動体通信システム（ Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、移動体通信システム( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉＭＡＸ )又は５Ｇシステム等の様々な通信システムに適用可能である。
【００１６】
本発明の実施例が適用される通信システム１００は、例えば、図１に示すようなものである。通信システム１００は、端末デバイス１２０ (または通信端末、端末)と通信する装置であり得るネットワークデバイス１１０を含み得る。ネットワークデバイス１１０は、特定の地理的エリアに通信カバレージを提供し得、そのカバレージ内に位置する端末デバイスと通信し得る。任意選択で、ネットワークデバイス１１０は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局（ ＮｏｄｅＢ、ＮＢ ）、ＬＴＥシステムにおける発展型基地局（ Ｅｖｏｌｕｔｉｏｎａｌ Ｎｏｄｅ Ｂ、ｅＮＢ、またはｅＮｏｄｅＢ ）、又はクラウド無線アクセスネットワーク（ Ｃｌｏｕｄ Ｒａｄｉｏ Ａｃｃｅｓｓ Ｎｅｔｗｏｒｋ、ＣＲＡＮ )における無線コントローラであってもよく、または、モバイルスイッチングハブ、中継局、アクセスポイント、車載デバイス、ウェアラブルデバイス、ハブ、スイッチ、ブリッジ、ルータ、５Ｇネットワークにおけるネットワーク側デバイス、又は将来進化するパブリック地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００１７】
通信システム１００は、ネットワークデバイス１１０のカバレージ内に構成された少なくとも１つの端末デバイス１２０をさらに含む。本明細書で使用される「端末デバイス」としては、公衆交換電話網( Ｐｕｂｌｉｃ Ｓｗｉｔｃｈｅｄ Ｔｅｌｅｐｈｏｎｅ Ｎｅｔｗｏｒｋｓ、ＰＳＴＮ )、デジタル加入者線( Ｄｉｇｉｔａｌ Ｓｕｂｓｃｒｉｂｅｒ Ｌｉｎｅ、ＤＳＬ )、デジタルケーブル、直接ケーブル接続などの有線回線を介した接続、および/または別のデータ接続/ネットワーク、および/または、セルラネットワーク、ワイヤレスローカルエリアネットワーク( Ｗｉｒｅｌｅｓｓ Ｌｏｃａｌ Ａｒｅａ Ｎｅｔｗｏｒｋ、ＷＬＡＮ )、ＤＶＢ−Ｈネットワークなどのデジタルテレビジョンネットワーク、衛星ネットワーク、ＡＭ−ＦＭ放送受信機などの無線インターフェース、及び/又は通信信号を受信/送信するように構成された別の端末デバイスのための手段、および/またはモノのインターネット( Ｉｎｔｅｒｎｅｔ ｏｆ Ｔｈｉｎｇｓ、ＩｏＴ )装置を含む。無線インターフェースを介して通信するように構成された端末デバイスは、「無線通信端末」、「無線端末」、又は「移動端末」と称され得る。移動端末の例は、衛星又は携帯電話を含むがこれらに限定されなく、セルラー無線電話とデータ処理、ファクシミリ、及びデータ通信能力を組み合わせることができるパーソナル通信システム( Ｐｅｒｓｏｎａｌ Ｃｏｍｍｕｎｉｃａｔｉｏｎｓ Ｓｙｓｔｅｍ、ＰＣＳ )端末、ＰＤＡは、無線電話、ページャ、インターネット/イントラネット接続、ウェブブラウザ、メモ帳、カレンダー、及び/又は全地球測位システム( Ｇｌｏｂａｌ Ｐｏｓｉｔｉｏｎｉｎｇ Ｓｙｓｔｅｍ、ＧＰＳ )受信機を含み、従来のノート型受信機やパームトップ型受信機等の電子機器に内蔵されている無線電話送受信機に適用してもよい。端末デバイスは、アクセス端末、ユーザーデバイス( Ｕｓｅｒ Ｅｑｕｉｐｍｅｎｔ、ＵＥ )、ユーザーデバイス、ユーザ局、移動局、リモート端末、モバイル機器、ユーザ端末、無線通信機器、ユーザエージェント、又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ（ Ｗｉｒｅｌｅｓｓ Ｌｏｃａｌ Ｌｏｏｐ、ＷＬＬ ）局、パーソナルデジタル処理（ Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、５Ｇネットワークにおける端末デバイス、または将来開発されるＰＬＭＮにおける端末デバイスなどであり得る。
【００１８】
任意選択で、端末デバイス１２０間の端末直接接続( Ｄｅｖｉｃｅ ｔｏ Ｄｅｖｉｃｅ、Ｄ２Ｄ )通信が行われてもよい。
【００１９】
任意選択で、５Ｇシステム又は５Ｇネットワークは、ＮＲシステム又はＮＲネットワークとも呼ばれ得る。
【００２０】
図１は、１つのネットワークデバイス及び２つの端末デバイスを例示的に示しているが、通信システム１００は、複数のネットワークデバイスを含んでもよく、各ネットワークデバイスのカバレージ内に他の数の端末デバイスを含んでもよく、本願の実施例はこれに限定されない。
【００２１】
任意選択で、この通信システム１００は、ネットワークコントローラ、モビリティ管理エンティティなどの他のネットワークエンティティをさらに含むことができ、本願の実施例はこれに限定されない。
【００２２】
なお、本願の実施例におけるネットワーク/システムにおける通信機能を有する装置を通信装置と呼ぶ場合がある。図１に示す通信システム１００を例にとると、通信装置は、通信機能を有するネットワークデバイス１１０及び端末デバイス１２０を含むことができ、ネットワークデバイス１１０及び端末デバイス１２０は、上述した具体的な装置であってもよく、ここでは詳しい説明を省略し、通信デバイスは、通信システム１００内の他のデバイス、例えば、ネットワークコントローラ、モビリティ管理エンティティ等の他のネットワークエンティティをさらに含むことができ、これは、本願の実施例において限定されない。
【００２３】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００２４】
現在の関連技術では、様々なサービスの遅延及び信頼性の要求、又はチャネル品質の継続的な変化は、ユーザーデバイスが、上り制御情報を送信する際に、伝送に使用されるＭＣＲを調整する必要があるという結果を招く。例えば、サービスの信頼性要求が高い場合、又は上り伝送チャネルの品質が悪い場合、上り伝送チャネルによって搬送される上り情報を対向側が正しく受信できるように、より低いＭＣＲが使用され、すなわち、対向側の正しい受信を保証するためにデータストリームの冗長部分の割合を増加させ、また、通信の信頼性要求が低い場合や、上り伝送路の品質が高い場合には、より高いＭＣＲが使用され、すなわち、データストリーム中の冗長でない部分の割合を増やすことができ、対向側での復調効率を向上させることができる。
【００２５】
５Ｇ ＮＲ方式では、超高信頼の超低遅延通信( ＵＲＬＬＣ、Ｕｌｔｒａ Ｒｅｌｉａｂｌｅ＆Ｌｏｗ Ｌａｔｅｎｃｙ Ｃｏｍｍｕｎｉｃａｔｉｏｎ )のサービス導入により、増強モバイルブロードバンド( ｅＭＢＢ、ｅｎｈａｎｃｅ Ｍｏｂｉｌｅ ＢｒｏａｄＢａｎｄ )とは遅延量と信頼性の要求が大きく異なるため、これらのサービスの完了に際して、ユーザーデバイスがサービスやチャネルの変化に適応できるように、上り伝送時の伝送符号化率を動的に調整できることが要求される。これに基づいて、本願では以下の実施例を提案する。
【００２６】
実施例一
図２を参照すると、本発明の実施例によって提供される情報伝送方法が示されており、この方法は、上り伝送を必要とするユーザーデバイス( ＵＥ、Ｕｓｅｒ Ｅｑｕｉｐｍｅｎｔ )に適用されてもよく、この方法は、以下のステップを含み、
Ｓ１０１において、物理上りリンク制御チャネル（ＰＵＣＣＨ、Ｐｈｙｓｉｃａｌ Ｕｐｌｉｎｋ Ｃｏｎｔｒｏｌ ＣＨａｎｎｅｌ）に対する構成情報を受信し、ここで、前記構成情報は、各ＰＵＣＣＨに対して少なくとも２つの最大符号化率（ＭＣＲ、Ｍａｘ Ｃｏｄｅ Ｒａｔｅ）を対応して構成するために使用され、
Ｓ１０２において、下り制御情報（ＤＣＩ、Ｄｏｗｎｌｉｎｋ Ｃｏｎｔｒｏｌ Ｉｎｆｏｒｍａｔｉｏｎ）を受信し、ここで、前記ＤＣＩが目標ＰＵＣＣＨに使用されるＭＣＲを示す指示情報を含み、
Ｓ１０３において、前記ＤＣＩにおける指示情報に基づいて、前記目標ＰＵＣＣＨに対応して構成した少なくとも２つのＭＣＲから前記ＰＵＣＣＨに使用されるＭＣＲを決定する。
【００２７】
図２に示される技術案により、各ＰＵＣＣＨに対して少なくとも２つのＭＣＲが対応して構成して、ユーザーデバイスが多様なサービス要求又はチャネル品質に適応できるようにし、また、ＤＣＩの指示情報により目標ＰＵＣＣＨに使用されるＭＣＲを指示することで、ＭＣＲを動的に調整することができる。したがって、図２に示す技術案は、複数のサービス要求やチャネル品質に適応するだけでなく、ＭＣＲを動的に調整することにより、複数のサービス要求や複数のチャネル品質の間の変化に適応することができる。
【００２８】
なお、ＭＣＲが上り制御情報がサポートする最大符号化率を限定し、かつ、実際に上り制御情報を伝送する際に用いられるｃｏｄｅ ｒａｔｅであるため、ＭＣＲはＰＵＣＣＨフォーマットｆｏｒｍａｔによって決定されてもよく、ＰＵＣＣＨリソースＲｅｓｏｕｒｃｅはＭＣＲに基づいて取得されてもよい。この場合、図２に示される技術案について、１つの可能な形態では、各ＰＵＣＣＨに対応して構成した少なくとも２つの最大符号化率ＭＣＲについて、具体的な実現では、ＰＵＣＣＨ ｆｏｒｍａｔごとに少なくとも２つのＭＣＲが構成され、又は、各ＰＵＣＣＨ Ｒｅｓｏｕｒｃｅ ｓｅｔに対して少なくとも２つのＭＣＲが構成され、又は、各ＰＵＣＣＨ Ｒｅｓｏｕｒｃｅに対して少なくとも２つＭＣＲが構成される。そして、前記構成情報は、各ＰＵＣＣＨ フォーマットｆｏｒｍａｔに対して少なくとも２つの最大符号化率ＭＣＲを対応して構成し、
又は、各ＰＵＣＣＨ リソースセットＲｅｓｏｕｒｃｅ ｓｅｔに対して少なくとも２つの最大符号化率ＭＣＲを対応して構成し、
又は、各ＰＵＣＣＨ リソースＲｅｓｏｕｒｃｅに対して少なくとも２つの最大符号化率ＭＣＲを対応して構成するために使用される。
【００２９】
なお、上記の実現形態によって、各ＰＵＣＣＨに対して少なくとも２つのＭＣＲが対応して構成されることにより、各ＰＵＣＣＨが少なくとも２つのサービス要求または少なくとも２つのチャネル品質に適応することが可能である。
【００３０】
図２に示される技術案において、各ＰＵＣＣＨに対応して構成した少なくとも２つのＭＣＲは、具体的に、
それぞれ独立した少なくとも２つの絶対最大符号化率、
又は、少なくとも１つの絶対最大符号化率及び前記絶対最大符号化率を基準とする少なくとも１つの相対最大符号化率を含む。
【００３１】
なお、前記少なくとも２つのＭＣＲがそれぞれ独立した少なくとも２つの絶対ＭＣＲである場合、ユーザーデバイスは、構成情報を受信した後、ＰＵＣＣＨを直接的に構成することが可能であり、また、相対最大符号化率は、ユーザーデバイスが構成情報を受信した後に、相対ＭＣＲと絶対ＭＣＲによる処理を行い、ユーザーデバイスの処理負荷を増大させるが、構成情報のシグナリング負荷を低減させる。
【００３２】
構成情報の受信完了後、ユーザーデバイスは、各ＰＵＣＣＨに対応する少なくとも２つの候補ＭＣＲを知ることができ、具体的には、候補ＭＣＲからどのＭＣＲが上り制御情報伝送を行うように決定されるか、本発明の実施例はＤＣＩを用いて指示することを採用し、具体的な指示方式は、指示情報によって明示的又は暗示的にされてよい。
【００３３】
これに基づいて、好ましい例一として、前記指示情報が前記ＤＣＩのフィールドに搬送されるインジケータを含み、ここで、前記インジケータが目標ＰＵＣＣＨに使用されるＭＣＲを示す。
【００３４】
なお、上記の好ましい例では、ＤＣＩによって搬送されるインジケータによって、目標ＰＵＣＣＨに使用されるＭＣＲを指示することは、目標ＰＵＣＣＨに使用されるＭＣＲを明示することであると考えられ、具体的に明示される実現手順は、直接的又は間接的に明示されてもよく、例えば、このインジケータが目標ＰＵＵＣＣＨに使用されるＭＣＲを直接指示するものであれば、ユーザーデバイスは、このインジケータを解析して得た後、直接インジケータの情報から目標ＰＵＣＣＨに使用されるＭＣＲを知ることができ、この場合、直接明示と考えることができ、このインジケータがＭＣＲと対応関係を有するＰＵＣＣＨ相関パラメータを指示する場合、例えば、ＭＣＲが対応するＰＵＣＣＨ ｆｏｒｍａｔ、ＰＵＣＣＨ Ｒｅｓｏｕｒｃｅ又はＰＵＣＣＨのサービスタイプ等を指示する場合、ユーザーデバイスは、このインジケータを解析して得た後、このインジケータが示すＰＵＣＣＨの相関パラメータとＭＣＲとの対応関係に基づいて、目標ＰＵＣＣＨに使用されるＭＣＲを知ることができ、この場合、間接明示と考えることができる。上記の好ましい例によって目標ＰＵＣＣＨに使用されるＭＣＲを明示することにより、ユーザーデバイスはＤＣＩ中のインジケータに従って目標ＰＵＣＣＨに使用されるＭＣＲを知ることで、ＭＣＲを動的に調整することによって、様々なサービス要求の間又は様々なチャネル品質の間の変化に適応することができる。
【００３５】
好ましい例二として、前記指示情報は、前記ＤＣＩの巡回冗長検査（ＣＲＣ、Ｃｙｃｌｉｃ Ｒｅｄｕｎｄａｎｃｙ Ｃｈｅｃｋ）のスクランブルに使用される無線ネットワークの一時識別子（ＲＮＴＩ、Ｒａｄｉｏ Ｎｅｔｗｏｒｋ Ｔｅｍｐｏｒｙ Ｉｄｅｎｔｉｔｙ）を含み、ここで、前記ＲＮＴＩとＭＣＲとが対応関係を有する。
【００３６】
なお、好ましい例二では、ＤＣＩのＣＲＣをスクランブルする時に使用されたＲＮＴＩによって、目標ＰＵＣＣＨに使用されたＭＣＲを示し、目標ＰＵＣＣＨに使用されたＭＣＲを暗示すると考えることができ、好ましい例一に比べてＤＣＩシグナリングにフィールドを追加してインジケータを搬送することを回避し、シグナリングオーバーヘッドを節約することができる。
【００３７】
好ましい例二について、ＲＮＴＩは、サービングＳｅｒｖｉｃｅ無線ネットワークコントローラ( ＲＮＣ、Ｒａｄｉｏ Ｎｅｔｗｏｒｋ Ｃｏｎｔｒｏｌｌｅｒ ) ＲＮＴＩ、すなわち、Ｓ−ＲＮＴＩ、移行( Ｄｅｖｏｌｖｅ ) ＲＮＣ ＲＮＴＩ、すなわち、Ｄ−ＲＮＴＩ、セル( Ｃｅｌｌ ) ＲＮＴＩ、一般的な移動通信システムの地上アクセスネットワーク( ＵＴＲＡＮ、ＵＭＴＳ Ｔｅｒｒｅｓｔｒｉａｌ Ｒａｄｉｏ Ａｃｃｅｓｓ Ｎｅｔｗｏｒｋ ) ＲＮＴＩ、すなわち、ｕ−ＲＮＴＩ、及び、下りリンク共有チャネル( ＤＳＣＨ、Ｄｏｗｎｌｉｎｋ Ｓｈａｒｅｄ ＣＨａｎｎｅｌ ) ＲＮＴＩ、すなわち、ＤＳＣＨ−ＲＮＴＩなどのような、様々なタイプを含み得る。２つのＲＮＴＩを例とし、指示情報が目標ＰＵＣＣＨに使用されるＭＣＲを暗示する場合、前記ＤＣＩにおける指示情報に基づいて、前記目標ＰＵＣＣＨに対応して構成した少なくとも２つのＭＣＲから前記ＰＵＣＣＨに使用されるＭＣＲを決定することは、
第１のＲＮＴＩ又は第２のＲＮＴＩに基づいて前記ＤＣＩのＣＲＣをデスクランブルすることと、
前記第１のＲＮＴＩによる前記ＤＣＩのＣＲＣデスクランブルが成功した場合、前記目標ＰＵＣＣＨに対応して構成した少なくとも２つのＭＣＲから、前記ＰＵＣＣＨに使用されるＭＣＲを前記第１のＲＮＴＩに対応する第１のＭＣＲとして決定することと、
前記第２のＲＮＴＩによる前記ＤＣＩのＣＲＣデスクランブルが成功した場合、前記目標ＰＵＣＣＨに対応して構成した少なくとも２つのＭＣＲから、前記ＰＵＣＣＨに使用されるＭＣＲを前記第２のＲＮＴＩに対応する第２のＭＣＲとして決定することとを含み、前記第１のＭＣＲと前記第２のＭＣＲのいずれも前記目標ＰＵＣＣＨに対応して構成した少なくとも２つのＭＣＲに属する。
【００３８】
具体的に形態において、前記第１のＲＮＴＩがセル無線ネットワークの一時識別子Ｃ−ＲＮＴＩを含み、前記第２のＲＮＴＩが前記Ｃ−ＲＮＴＩ以外の他のタイプのＲＮＴＩを含む。
【００３９】
また、ユーザーデバイスが指示情報に基づいて目標ＰＵＣＣＨに使用されるＭＣＲを決定するためには、ユーザーデバイスに指示情報とＭＣＲとの対応関係を予め確立しておく必要があるため、前記方法は、さらに、ＤＣＩにおける指示情報とＭＣＲとの対応関係は、予め構成されることを含む。
【００４０】
事前構成手順を通して、ユーザーデバイスは、ＤＣＩを受信した後、受信されたＤＣＩ中の指示情報によって指示される目標ＰＵＣＣＨに使用されるＭＣＲを、この対応関係に従って決定することができる。
【００４１】
具体的には、上記事前構成手順は、ユーザーデバイスがネットワークデバイスから送信された構成情報を受信した後、構成情報における関連内容により構成され、該構成情報はＲＲＣシグナリング又はシステム情報に搬送されてもよいし、プロトコルに応じて予め構成されていてもよい。この実施例ではその説明を省略する。
【００４２】
この実施例で提供される情報伝送方法により、各ＰＵＣＣＨに少なくとも２つのＭＣＲが対応して構成して、ユーザーデバイスが多様なサービス要求又はチャネル品質に適応できるようにし、また、ＤＣＩの指示情報により目標ＰＵＣＣＨに使用されるＭＣＲを指示することでＭＣＲを動的に調整することができる。したがって、この実施例に記載の技術案は、複数のサービス要求やチャネル品質にのみ対応することができるだけでなく、ＭＣＲを動的に調整することにより、複数のサービス要求の間や複数のチャネル品質の間の変化に適応することができる。
【００４３】
実施例二
この実施例は、前述した実施例と同じ発明思想に基づいて、前述した実施例の技術的思想の具体な例説明する。
【００４４】
具体な例一
この具体例では、構成情報は、各ＰＵＣＣＨ ｆｏｒｍａｔに対して２つのＭＣＲを構成する。まず、構成情報は、ＰＵＣＣＨ ｆｏｒｍａｔ２、ＰＵＣＣＨ ｆｏｒｍａｔ３およびＰＵＣＣＨ ｆｏｒｍａｔ４のそれぞれに対応して構成される第１のＭＣＲの番号は、それぞれ１、１、２である。これらの第１のＭＣＲは、第１のＲＮＴＩスクランブルに対応する下りスケジューリングに対応する上りフィードバックを構成する。具体的なＭＣＲの番号及び具体的なＭＣＲの数値は表１を参照し、以下では詳細な説明を省略する。
【表１】
2021529455.tif 000003
【００４５】
次に、構成情報は、ＰＵＣＣＨ ｆｏｒｍａｔ２、ＰＵＣＣＨ ｆｏｒｍａｔ３およびＰＵＣＣＨ ｆｏｒｍａｔ４のそれぞれに対応して構成される第２ ＭＣＲの番号、それぞれ３、３、４である。これらの第２のＭＣＲは、第２のＲＮＴＩスクランブルに対応する下りスケジューリングに対応する上りフィードバックを構成する。
【００４６】
第１のＭＣＲと第２のＭＣＲの具体的な数値から、同じＰＵＣＣＨ ｆｏｒｍａｔに対して、第１のＭＣＲの具体的な数値は、第２のＭＣＲの具体的な数値よりも低いことが分かる。すなわち、下りデータが高信頼性データであるか、又は上りチャネル条件が悪い場合、データの正確な送受信を確保するために、第１ ＭＣＲを構成する必要があり、下りデータが信頼性を高く要求しないデータであったり、上りチャネル条件が良い場合には、第２のＭＣＲを構成しても良い。
【００４７】
または、構成情報の第１のＭＣＲは、各ＰＵＣＣＨ ｆｏｒｍａｔそれぞれに対応する第１のＭＣＲの絶対番号であり、第２のＭＣＲは、各ＰＵＣＣＨ ｆｏｒｍａｔに対応する第１のＭＣＲの絶対番号を基準としたオフセット値、即ち相対値であってもよい。本具体例では、このオフセット値を２としているので、第１のＭＣＲの番号を知った後、各ＰＵＣＣＨ ｆｏｒｍａｔに対応する第１のＭＣＲの番号にオフセット値を加算することで、各ＰＵＣＣＨ ｆｏｒｍａｔに対応する第２のＭＣＲの番号が得られ、表１を参照し、各ＰＵＣＣＨ ｆｏｒｍａｔに対応する第２のＭＣＲの具体的な数値が得られる。
【００４８】
また、任意選択で、構成情報の第１のＭＣＲは、各ＰＵＣＣＨ ｆｏｒｍａｔがそれぞれ対応する第１のＭＣＲの絶対番号であってもよく、第２のＭＣＲは、各ＰＵＣＣＨ ｆｏｒｍａｔが対応する第２のＭＣＲの絶対番号を直接構成して、ユーザーデバイスが各ＰＵＣＣＨ ｆｏｒｍａｔが対応する第２のＭＣＲの具体的な数値を直接問い合わせることができるようにしてもよい。
【００４９】
各ＰＵＣＣＨ ｆｏｒｍａｔに対して第１のＭＣＲ及び第２のＭＣＲを対応して構成した後、ユーザーデバイスは、第１のＲＮＴＩスクランブルの下りスケジューリングを受信し、その下りデータに対する上りフィードバックは、第１のＭＣＲを採用し、ユーザーデバイスが第２のＲＮＴＩによってスクランブルされた下りスケジューリングを受信すると、その下りデータに対応する上りフィードバックは、第２のＭＣＲを採用する。
【００５０】
具体的な例二
この具体例では、構成情報は、各ＰＵＣＣＨ ｒｅｓｏｕｒｃｅに対して２つのＭＣＲを構成する。まず、構成情報は、３つのＰＵＣＣＨ ｒｅｓｏｕｒｃｅに対してそれぞれ第１ ＭＣＲの番号が１、１、２であることを対応して構成する。これらの第１のＭＣＲは、第１のＲＮＴＩスクランブルに対応する下りスケジューリングに対応する上りフィードバックを構成する。具体的なＭＣＲの番号及び具体的なＭＣＲの数値は表１を参照し、以下では詳細な説明を省略する。
【００５１】
次に、構成情報は、上記３つのＰＵＣＣＨ ｒｅｓｏｕｒｃｅがそれぞれ対応して構成される第２ ＭＣＲの符号は、それぞれ３、４である。これらの第２のＭＣＲは、第２のＲＮＴＩスクランブルに対応する下りスケジューリングに対応する上りフィードバックを構成する。
【００５２】
第１のＭＣＲと第２のＭＣＲの具体的な数値から、同じＰＵＣＣＨ ｒｅｓｏｕｒｃｅに対して、第１のＭＣＲの具体的な数値は、第２のＭＣＲの具体的な数値よりも低いことが分かる。すなわち、下りデータが高信頼性データであるか、又は上りチャネル条件が悪い場合、データの正確な送受信を確保するために、第１ ＭＣＲを構成する必要があり、下りデータが信頼性を高く要求しないデータであったり、上りチャネル条件が良い場合には、第２のＭＣＲを構成しても良い。
【００５３】
または、構成情報は、第２のＭＣＲに対して、各ＰＵＣＣＨ ｒｅｓｏｕｒｃｅに対応するオフセット値を構成してもよく、この具体例では、オフセット値を２に構成しているので、第１のＭＣＲの番号を知った後、各ＰＵＣＣＨ ｒｅｓｏｕｒｃｅに対応する第１のＭＣＲの番号をオフセット値に加算することで、各ＰＵＣＣＨ ｒｅｓｏｕｒｃｅに対応する第２のＭＣＲの番号が得られ、表１を参照し、各ＰＵＣＣＨ ｒｅｓｏｕｒｃｅに対応する第２のＭＣＲの具体的な数値が得られる。
【００５４】
なお、任意選択で、構成情報は、第２のＭＣＲ に対して、各ＰＵＣＣＨ ｒｅｓｏｕｒｃｅに対応する第２のＭＣＲの番号を直接構成してもよく、これにより、ユーザーデバイスが各ＰＵＣＣＨ ｒｅｓｏｕｒｃｅに対応する具体的な数値を直接問い合わせることができる。
【００５５】
各ＰＵＣＣＨ ｒｅｓｏｕｒｃｅに対して第１のＭＣＲ及び第２のＭＣＲを対応して構成した後、ユーザーデバイスは、第１のＲＮＴＩによってスクランブルされた下りスケジューリングを受信し、その下りデータに対する上りフィードバックは、第１のＭＣＲを採用し、ユーザーデバイスが第２のＲＮＴＩによってスクランブルされた下りスケジューリングを受信すると、その下りデータに対応する上りフィードバックは、第２のＭＣＲを採用する。
【００５６】
実施例三
上記の実施例と同じ発明思想に基づいて、図３を参照し、本発明の実施例におけるユーザーデバイス２０の構成を示し、第１の受信部２０１、第２の受信部２０２及び決定部２０３を備え、ここで、
前記第１の受信部２０１は、物理上りリンク制御チャネルＰＵＣＣＨに対する構成情報を受信するように構成され、ここで、前記構成情報が、各ＰＵＣＣＨに対して少なくとも２つの最大符号化率ＭＣＲを対応して構成するために使用され、
前記第２の受信部２０２は、下り制御情報ＤＣＩを受信するように構成され、ここで、前記ＤＣＩが目標ＰＵＣＣＨに使用されるＭＣＲを示す指示情報を含み、
前記決定部２０３は、前記ＤＣＩにおける指示情報に基づいて、前記目標ＰＵＣＣＨに対応して構成した少なくとも２つのＭＣＲから前記ＰＵＣＣＨに使用されるＭＣＲを決定するように構成される。
【００５７】
上記の形態において、前記構成情報は、各ＰＵＣＣＨ フォーマットｆｏｒｍａｔに対して少なくとも２つの最大符号化率ＭＣＲを対応して構成し、
又は、各ＰＵＣＣＨ リソースセットＲｅｓｏｕｒｃｅ ｓｅｔに対して少なくとも２つの最大符号化率ＭＣＲを対応して構成し、
又は、各ＰＵＣＣＨ リソースＲｅｓｏｕｒｃｅに対して少なくとも２つの最大符号化率ＭＣＲを対応して構成するために使用される。
【００５８】
上記の形態において、前記少なくとも２つの最大符号化率ＭＣＲは、
それぞれ独立した少なくとも２つの絶対最大符号化率、
又は、少なくとも１つの絶対最大符号化率及び前記絶対最大符号化率を基準とする少なくとも１つの相対最大符号化率を含む。
【００５９】
上記の形態において、前記指示情報が前記ＤＣＩのフィールドに搬送されるインジケータを含み、ここで、前記インジケータが目標ＰＵＣＣＨに使用されるＭＣＲを示す。
【００６０】
上記の形態において、前記指示情報が、前記ＤＣＩの巡回冗長検査ＣＲＣスクランブルに使用される無線ネットワークの一時識別子ＲＮＴＩを含み、ここで、前記ＲＮＴＩとＭＣＲとが対応関係を有する。
【００６１】
上記の形態において、前記決定部２０３は、
第１のＲＮＴＩ又は第２のＲＮＴＩに基づいて前記ＤＣＩのＣＲＣをデスクランブルし、
前記第１のＲＮＴＩによる前記ＤＣＩのＣＲＣデスクランブルが成功した場合、前記目標ＰＵＣＣＨに対応して構成した少なくとも２つのＭＣＲから、前記ＰＵＣＣＨに使用されるＭＣＲを前記第１のＲＮＴＩに対応する第１のＭＣＲとして決定し、
前記第２のＲＮＴＩによる前記ＤＣＩのＣＲＣデスクランブルが成功した場合、前記目標ＰＵＣＣＨに対応して構成した少なくとも２つのＭＣＲから、前記ＰＵＣＣＨに使用されるＭＣＲを前記第２のＲＮＴＩに対応する第２のＭＣＲとして決定するように構成され、前記第１のＭＣＲと前記第２のＭＣＲのいずれも前記目標ＰＵＣＣＨに対応して構成した少なくとも２つのＭＣＲに属する。
【００６２】
上記の形態において、前記第１のＲＮＴＩがセル無線ネットワークの一時識別子Ｃ−ＲＮＴＩを含み、前記第２のＲＮＴＩが前記Ｃ−ＲＮＴＩ以外の他のタイプのＲＮＴＩを含む。
【００６３】
上記の形態において、図４を参照し、ユーザーデバイス２０がさらに構成部２０４を含み、構成部２０４は、ＤＣＩにおける指示情報とＭＣＲとの対応関係を予め構成するように構成される。
【００６４】
なお、この実施例において、「部分」は、回路の一部、プロセッサの一部、プログラムの一部、またはソフトウェアの一部などであってもよく、もちろん、ユニットであってもよく、モジュールであってもよく、非モジュールであってもよい。
【００６５】
また、この実施例における各構成要素は、１つの処理装置に集積されていてもよいし、各構成要素が物理的に別々に存在していてもよいし、２つ以上の構成要素が１つの処理装置に集積されていてもよい。上記統合されたユニットは、ハードウェアの形態で実現されてもよいし、ソフトウェア機能ブロックの形態で実現されてもよい。
【００６６】
統合されたユニットは、ソフトウェア機能モジュールの形態で実現され、独立した製品として販売又は使用されない場合、コンピュータ読み取り可能な記憶媒体に記憶されてもよく、そのような理解に基づいて、本実施形態の技術的解決策の本質又は従来技術に寄与する部分、又は技術的解決策の全部又は一部は、１つの記憶媒体に記憶されたソフトウェア製品の形態で具現化されてもよく、コンピュータ装置(パーソナルコンピュータ、サーバ、又はネットワークデバイスなどであってもよい)又はｐｒｏｃｅｓｓｏｒ (プロセッサ)に本実施形態に記載の方法のステップの全部又は一部を実行させるための複数の命令を含む。なお、前記記憶媒体としては、U-ディスク、リムーバブルハードディスク、リードオンリーメモリ( ＲＯＭ、Ｒｅａｄ Ｏｎｌｙ Ｍｅｍｏｒｙ )、ランダムアクセスメモリ（ ＲＡＭ、Ｒａｎｄｏｍ Ａｃｃｅｓｓ Ｍｅｍｏｒｙ )、磁気ディスク、光ディスク等のプログラムコードを記憶できる種々の媒体を包含する。
【００６７】
従って、この実施例は、コンピュータ記憶媒体、具体的にはコンピュータ可読記憶媒体を提供し、該コンピュータ記憶媒体は、少なくとも１つのプロセッサによって実行されると、上述の実施例１又は実施例２に記載の情報伝送方法のステップを実現する情報伝送方法のプログラムを記憶している。
【００６８】
図５は、上記のようなユーザーデバイス２０及びコンピュータ記憶媒体を基に、本発明の実施形態に係るユーザ装置２０の具体的なハードウェア構成を示す図であり、ネットワークインタフェース４０１、メモリ４０２、プロセッサ４０３を備え、各構成要素は、バスシステム４０４を介して接続されている。バスシステム４０４は、これらの構成要素間の接続通信を可能にするために使用されることが理解される。バスシステム４０４は、データバスの他に、電源バス、制御バス、ステータス信号バスを有する。ただし、説明を明確にするために、図５では、様々なバスをバスシステム４０４と標記している。ネットワークインタフェース４０１は、他の外部ネットワークとの間で情報を送受信する過程において、信号の送受信を行、
メモリ４０２は、プロセッサ４０３上で実行可能なコンピュータプログラムを記憶し、
プロセッサ４０３は、前記コンピュータプログラムを実行する際に、
物理上りリンク制御チャネルＰＵＣＣＨに対する構成情報を受信し、ここで、前記構成情報が、各ＰＵＣＣＨに対して少なくとも２つの最大符号化率ＭＣＲを対応して構成するために使用され、
下り制御情報ＤＣＩを受信し、ここで、前記ＤＣＩが目標ＰＵＣＣＨに使用されるＭＣＲを示す指示情報を含み、
前記ＤＣＩにおける指示情報に基づいて、前記目標ＰＵＣＣＨに対応して構成した少なくとも２つのＭＣＲから前記ＰＵＣＣＨに使用されるＭＣＲを決定するように構成される。
【００６９】
本発明の実施例におけるメモリ４０２は、揮発性メモリまたは不揮発性メモリのいずれかであってもよく、または揮発性メモリおよび不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ（ Ｅｒａsａｂｌｅ ＰＲＯＭ、ＥＰＲＯＭ ）、電気的消去可能プログラマブルリードオンリーメモリ（ Ｅｌｅｃｔｒｉｃａｌｌｙ ＥＰＲＯＭ、ＥＥＰＲＯＭ ）、又はフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ（ Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲＳＤＲＡＭ )、拡張シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ（ Ｄｉｒｅｃｔ Ｒａｍｂｕｓ ＲＡＭ、ＤＲＲＡＭ )など、多くの形態で利用可能である。本明細書に記載のシステム及び方法のメモリ４０２は、これら及び任意の他の適切なタイプのメモリを含むことを意図しているが、これらに限定されない。
【００７０】
プロセッサ４０３は、信号の処理能力を有する集積回路チップであってもよい。実施において、方法のステップは、プロセッサ４０３内のハードウェアの集積論理回路またはソフトウェア形態の命令によって実行されてもよい。上述のプロセッサ４０３は、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路（ Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本発明の実施形態に開示された方法、ステップ、および論理ブロック図は、実施され得るか、または実行され得る。汎用プロセッサはマイクロプロセッサであってもよく、プロセッサは任意の従来のプロセッサなどであってもよい。本発明の実施形態に関連して開示された方法のステップは、ハードウェアデコーディングプロセッサ実行として直接具体化され得るか、または、デコーディングプロセッサ内のハードウェアおよびソフトウェアモジュールの組み合わせで実行され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に構成され得る。この記憶媒体は、メモリ４０２に位置し、プロセッサ４０３は、メモリ４０２内の情報を読み出し、そのハードウェアとともに、上述した方法のステップを実行する。
【００７１】
本明細書に記載される実施形態は、ハードウェア、ソフトウェア、ファームウェア、ミドルウェア、マイクロコード、またはそれらの組み合わせで実装され得ることが理解されよう。ハードウェア実装の場合、処理ユニットは、１つ又は複数の特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔｓ、ＡＳＩＣ )、デジタル信号プロセッサ( Ｄｉｇｉｔａｌ Ｓｉｇｎａｌ Ｐｒｏｃｅｓｓｉｎｇ、ＤＳＰ )、デジタル信号処理デバイス（ ＤＳＰ Ｄｅｖｉｃｅ、ＤＳＰＤ ）、プログラマブル論理デバイス（ Ｐｒｏｇｒａｍｍａｂｌｅ Ｌｏｇｉｃ Ｄｅｖｉｃｅ、ＰＬＤ ）、フィールドプログラマブルゲートアレイ（ Ｆｉｅｌｄ−Ｐｒｏｇｒａｍｍａｂｌｅ Ｇａｔｅ Ａｒｒａｙ、ＦＰＧＡ )、汎用プロセッサ、コントローラ、マイクロコントローラ、マイクロプロセッサ、本明細書に記載される機能を実行するための他の電子ユニット、又はそれらの組み合わせで実装されてもよい。
【００７２】
ソフトウェア実装の場合、本明細書に説明される技術は、本明細書に説明される機能を実行するモジュール(例えば、プロセス、関数など)によって実装され得る。ソフトウェアコードは、メモリに記憶され、プロセッサによって実行され得る。メモリは、プロセッサ内に実装されてもよく、またはプロセッサの外部に実装されてもよい。
【００７３】
具体的には、ユーザーデバイス２０のプロセッサ４０３は、コンピュータプログラムを実行することにより、前述の実施例１又は実施例２に記載の方法ステップを実行するように更に構成され、ここでその説明が省略される。
【００７４】
なお、本発明の実施の形態に記載された技術的手段は、矛盾なき限り、任意に組み合わせることが可能である。
【００７５】
以上の説明は、本発明の好適な実施例に過ぎず、本発明の範囲を限定するものではない。
【図１】
2021529455.tif 000004
【図２】
2021529455.tif 000005
【図３】
2021529455.tif 000006
【図４】
2021529455.tif 000007
【図５】
2021529455.tif 000008
【国際調査報告】
2021529455.tif 000009
2021529455.tif 000010
2021529455.tif 000011
2021529455.tif 000012